(57)【要約】【課題】モーター駆動によるレンズ移動の高速化と径方向の小型化とを達成したレンズ鏡筒を提供する。【解決手段】レンズ鏡筒１００は、移動鏡筒１０２，１０３と絞りユニット１３０とモーターユニット１２０を有する。絞りユニット１３０は移動鏡筒１０３に保持されており、開口径が可変である。移動鏡筒１０２は、絞りユニット１３０の被写体側に配置されており、移動鏡筒１０３に対する相対的な位置が変化するようにズームレンズＺＬの光軸ＡＸ方向に移動可能である。モーターユニット１２０は、回転力を発生させるモーターヘッド部１２０ａとその回転力によって回転駆動されるリードスクリュー部１２０ｂとを有し、移動鏡筒１０２を光軸ＡＸ方向に移動させる。リードスクリュー部１２０ｂは、絞りユニット１３０の被写体側から結像側に跨がって配置されており、モーターヘッド部１２０ａは、絞りユニット１３０の結像側に配置されており、モーターヘッド部１２０ａの光軸ＡＸ側の一部が、絞りユニット１３０の外径部１３０ｃより光軸ＡＸ側に位置する。【選択図】図１
2018180322.tif 000002
【特許請求の範囲】
【請求項１】
複数のレンズ群からなる撮像レンズを有し、前記レンズ群を保持する鏡筒を複数有するレンズ鏡筒であって、
前記鏡筒の１つとして配置された第１鏡筒と、
前記第１鏡筒に保持され、かつ、開口径が可変の絞りユニットと、
前記絞りユニットの被写体側に前記鏡筒の１つとして配置され、かつ、前記第１鏡筒に対する相対的な位置が変化するように前記撮像レンズの光軸方向に移動可能な第２鏡筒と、
前記第２鏡筒を光軸方向に移動させるためのモーターユニットと、を有し、
前記モーターユニットが、回転力を発生させるモーターヘッド部と、前記回転力によって回転駆動されるリードスクリュー部と、を有し、
前記リードスクリュー部が、前記絞りユニットの被写体側から結像側に跨がって配置されており、
前記モーターヘッド部が、前記絞りユニットの結像側に配置されており、
前記モーターヘッド部の光軸側の一部が、前記絞りユニットの外径部より光軸側に位置することを特徴とするレンズ鏡筒。
【請求項２】
前記第１鏡筒に保持され、かつ、前記第２鏡筒の移動をガイドする主ガイド軸及び副ガイド軸を更に有し、
前記第２鏡筒が、前記主ガイド軸に係合する主ガイド軸係合部と、前記副ガイド軸に係合する副ガイド軸係合部と、を有することを特徴とする請求項１記載のレンズ鏡筒。
【請求項３】
前記絞りユニットが外径部の一部に内径側へ切り欠かれた形状の切欠き部を有し、光軸に対して垂直な面において、前記リードスクリュー部の少なくとも一部が前記切欠き部に配置されていることを特徴とする請求項２記載のレンズ鏡筒。
【請求項４】
光軸に対して垂直な面において、前記主ガイド軸及び前記主ガイド軸係合部のそれぞれの少なくとも一部が前記切欠き部に配置されていることを特徴とする請求項３記載のレンズ鏡筒。
【請求項５】
光軸に対して垂直な面において、前記モーターヘッド部の光軸側の一部が前記切欠き部より光軸側に位置することを特徴とする請求項３又は４記載のレンズ鏡筒。
【請求項６】
前記主ガイド軸係合部の結像側端面が、前記第２鏡筒の移動範囲内において、常に前記切欠き部が設けられている外径部の結像側端面よりも結像側に位置することを特徴とする請求項３〜５のいずれか１項に記載のレンズ鏡筒。
【請求項７】
前記絞りユニットが外径部の一部に内径側へ切り欠かれた形状の第２の切欠き部を前記切欠き部とは別に有し、光軸に対して垂直な面において、前記副ガイド軸の少なくとも一部が前記第２の切欠き部に配置されていることを特徴とする請求項３〜６のいずれか１項に記載のレンズ鏡筒。
【発明の詳細な説明】
【技術分野】
【０００１】
本発明はレンズ鏡筒に関するものであり、例えば、モーター駆動のフォーカス機構を有するレンズ鏡筒に関するものである。
【背景技術】
【０００２】
近年、デジタルカメラの撮像レンズに対してフォーカシングの高速化が求められている。とりわけレンズ交換可能なカメラシステムの交換レンズには、高速なＡＦ(autofocus)性能が要求される。そのため、レンズ鏡筒には、モーターヘッド部とリードスクリュー部から構成されるステッピングモーターが駆動アクチュエーターとして採用されることが多い。ズーミングに関しても同様であり、レンズ移動をモーター駆動で行うレンズ鏡筒の例が、特許文献１，２で提案されている。
【０００３】
特許文献１に記載のレンズ鏡筒では、移動群及びズーム移動枠を直進駆動させるモーターが絞りユニットより被写体側に配置されており、そのモーターヘッド部（モーター本体）は撮像素子側に配置されている。また、特許文献２に記載のレンズ鏡筒では、移動群及びフォーカスレンズ保持枠を直進駆動させるフォーカスモーターが絞りユニットより被写体側に配置されており、そのモーターヘッド部は被写体側に配置されている。
【先行技術文献】
【特許文献】
【０００４】
【特許文献１】特開２００９−１５１０３８号公報
【特許文献２】特開２０１３−１９５９００号公報
【発明の概要】
【発明が解決しようとする課題】
【０００５】
特許文献１に記載のレンズ鏡筒のような構成では、モーターヘッド部が絞りユニットよりも光軸から離れた位置に配置されてしまうため、レンズ鏡筒の外径が大型化してしまう。また、特許文献２に記載のレンズ鏡筒のように、モーターヘッド部が被写体側に配置された構成では、特に絞りより被写体側のレンズ径が大型化傾向となる広角レンズ系の場合、モーターヘッド部の配置制約が大きくなる。その制約のために光軸から離れた方向にモーターヘッド部を配置させる必要性が生じるため、レンズ鏡筒が径方向に大型化してしまう。
【０００６】
本発明はこのような状況に鑑みてなされたものであって、その目的は、モーター駆動によるレンズ移動の高速化と径方向の小型化とを達成したレンズ鏡筒を提供することにある。
【課題を解決するための手段】
【０００７】
上記目的を達成するために、第１の発明のレンズ鏡筒は、複数のレンズ群からなる撮像レンズを有し、前記レンズ群を保持する鏡筒を複数有するレンズ鏡筒であって、
前記鏡筒の１つとして配置された第１鏡筒と、
前記第１鏡筒に保持され、かつ、開口径が可変の絞りユニットと、
前記絞りユニットの被写体側に前記鏡筒の１つとして配置され、かつ、前記第１鏡筒に対する相対的な位置が変化するように前記撮像レンズの光軸方向に移動可能な第２鏡筒と、
前記第２鏡筒を光軸方向に移動させるためのモーターユニットと、を有し、
前記モーターユニットが、回転力を発生させるモーターヘッド部と、前記回転力によって回転駆動されるリードスクリュー部と、を有し、
前記リードスクリュー部が、前記絞りユニットの被写体側から結像側に跨がって配置されており、
前記モーターヘッド部が、前記絞りユニットの結像側に配置されており、
前記モーターヘッド部の光軸側の一部が、前記絞りユニットの外径部より光軸側に位置することを特徴とする。
【０００８】
第２の発明のレンズ鏡筒は、上記第１の発明において、前記第１鏡筒に保持され、かつ、前記第２鏡筒の移動をガイドする主ガイド軸及び副ガイド軸を更に有し、
前記第２鏡筒が、前記主ガイド軸に係合する主ガイド軸係合部と、前記副ガイド軸に係合する副ガイド軸係合部と、を有することを特徴とする。
【０００９】
第３の発明のレンズ鏡筒は、上記第２の発明において、前記絞りユニットが外径部の一部に内径側へ切り欠かれた形状の切欠き部を有し、光軸に対して垂直な面において、前記リードスクリュー部の少なくとも一部が前記切欠き部に配置されていることを特徴とする。
【００１０】
第４の発明のレンズ鏡筒は、上記第３の発明において、光軸に対して垂直な面において、前記主ガイド軸及び前記主ガイド軸係合部のそれぞれの少なくとも一部が前記切欠き部に配置されていることを特徴とする。
【００１１】
第５の発明のレンズ鏡筒は、上記第３又は第４の発明において、光軸に対して垂直な面において、前記モーターヘッド部の光軸側の一部が前記切欠き部より光軸側に位置することを特徴とする。
【００１２】
第６の発明のレンズ鏡筒は、上記第３〜第５のいずれか１つの発明において、前記主ガイド軸係合部の結像側端面が、前記第２鏡筒の移動範囲内において、常に前記切欠き部が設けられている外径部の結像側端面よりも結像側に位置することを特徴とする。
【００１３】
第７の発明のレンズ鏡筒は、上記第３〜第６のいずれか１つの発明において、前記絞りユニットが外径部の一部に内径側へ切り欠かれた形状の第２の切欠き部を前記切欠き部とは別に有し、光軸に対して垂直な面において、前記副ガイド軸の少なくとも一部が前記第２の切欠き部に配置されていることを特徴とする。
【発明の効果】
【００１４】
本発明によれば、絞りユニットに対するモーターユニットの配置が適正に設定されているため、モーター駆動によるレンズ移動の高速化と径方向の小型化とを達成することが可能である。例えば、絞りユニットの被写体側にフォーカス群が位置する撮像レンズの場合、被写体側のレンズ径が大型化傾向となる広角レンズ系であっても、モーターユニットを搭載しつつレンズ鏡筒の小型化が可能となる。
【図面の簡単な説明】
【００１５】
【図１】レンズ鏡筒の実施の形態の概略構成を示す断面図。
【図２】レンズ鏡筒の実施の形態におけるモーターユニット周辺構造を示す断面図。
【図３】モーターユニット周辺構造を被写体側から示す平面図。
【図４】モーターユニット周辺構造を被写体側から示す斜視図。
【図５】モーターユニット周辺構造におけるフォーカス関連部分を絞りユニット側から示す平面図。
【図６】モーターユニット周辺構造におけるフォーカス関連部分を示す斜視図。
【図７】無限遠フォーカス状態と最近接フォーカス状態でのモーターユニット周辺構造を示す平面図。
【発明を実施するための形態】
【００１６】
以下、本発明を実施したレンズ鏡筒等を、図面を参照しつつ説明する。図１に、レンズ鏡筒１００の概略断面構造を示す。レンズ鏡筒１００の結像側には、レンズマウント１１１が設けられている。このレンズマウント１１１を介して、撮像素子ＳＲを内蔵したカメラボディＢＤにレンズ鏡筒１００が機械的・電気的に結合されるように構成されている。つまり、レンズ鏡筒１００はカメラボディＢＤに対して着脱可能になっており、レンズ鏡筒１００とカメラボディＢＤとの組み合わせによりレンズ交換式カメラシステムを構成している。
【００１７】
レンズ鏡筒１００は５つのレンズ群１〜５からなるズームレンズＺＬを撮像レンズとして有しており、レンズ群１〜５は各々１枚以上のレンズで構成されている。レンズ群１は、移動鏡筒１０１に保持されており、ズーム時にはズームレンズＺＬの光軸ＡＸ方向に移動する。また、レンズ群２〜５は移動鏡筒１０３及びそれに固定されている移動鏡筒１０６に保持されており、ズーム時にレンズ群１とは独立した軌跡で光軸ＡＸ方向に移動する。この移動鏡筒１０３には、移動鏡筒１０２を光軸ＡＸ方向に移動させるためのモーターユニット１２０、開口絞りを構成する絞りユニット１３０等も保持されている。
【００１８】
レンズ群２はフォーカス群であり、レンズ群３〜５に従属する形で移動鏡筒１０２に保持されている。またレンズ群２は、モーターユニット１２０で駆動されることにより、フォーカス時及びズーム時にレンズ群３〜５に対して相対的に移動して、フォーカス性能及びズームポジションごとの光学性能を維持する機能を有している。モーターユニット１２０は、駆動源として回転力を発生させるモーターヘッド部１２０ａと、その回転力によって回転駆動されるリードスクリュー部１２０ｂと、から構成されている。
【００１９】
移動鏡筒１０２は、絞りユニット１３０の被写体側に配置され、かつ、移動鏡筒１０３に対する相対的な位置が変化するように光軸ＡＸ方向に移動可能となっている。絞りユニット１３０は、電気的に開口径が可変な構造を有しており、また、移動鏡筒１０２よりも結像側（すなわち撮像素子ＳＲ側）に配置されるとともに、移動鏡筒１０３によってその被写体側で保持されている。
【００２０】
移動鏡筒１０１，１０３等の周りには、直進溝１３２ａ等を有する直進筒１３２と、カム溝１３１ａ，１３１ｂを有するカム環１３１と、が設けられている。また、移動鏡筒１０１は、円周３等分に配置されたカムフォロワー１０１ａを有しており、移動鏡筒１０３も同様に、円周３等分に配置されたカムフォロワー１０３ａ（図３等）を有している。カムフォロワー１０１ａ，１０３ａは、直進溝１３２ａ等及びカム溝１３１ａ，１３１ｂと係合しており、カム環１３１は直進筒１３２に対して径嵌合している。したがって、カム環１３１を光軸ＡＸを中心に回転させると、各移動鏡筒１０１，１０３のカムフォロワー１０１ａ，１０３ａがカム溝１３１ａ，１３１ｂに沿って移動し、それによってズーミングが行われる。
【００２１】
直進筒１３２の周りには、フォーカス操作環１０８とズーム操作環１０９が設けられている。フォーカス操作環１０８は、光軸ＡＸを中心に直進筒１３２に対して回転可能となっている。フォーカス操作環１０８の回転によりフォトセンサー（不図示）の信号を検知すると、フォーカス群であるレンズ群２をモーターユニット１２０でフォーカス駆動させることができる。ズーム操作環１０９は、光軸ＡＸを中心に直進筒１３２に対して回転可能となっている。ズーム操作環１０９は、ズーム連動ピン（不図示）でカム環１３１と回転連動するように構成されており、ズーム操作環１０９の回転操作によりカム環１３１が回転して、ズーム操作を可能としている。
【００２２】
フォーカス操作環１０８の被写体側には前側外装鏡筒１０７ａが設けられており、ズーム操作環１０９の結像側には後側外装鏡筒１０７ｂが設けられている。外装鏡筒１０７ａ，１０７ｂは、各々フォーカス操作環１０８とズーム操作環１０９の抜け止めとして機能するとともに、レンズ鏡筒１００の外装を形成している。
【００２３】
次に、レンズ鏡筒１００の詳細構成、特に移動鏡筒１０２及びモーターユニット１２０周辺の構成を説明する。図２にレンズ鏡筒１００におけるモーターユニット１２０周辺の概略断面構造を示し、図３及び図４にモーターユニット１２０周辺の外観構造を示す。図２では、モーターユニット１２０が図１とは異なる配置で示されているが、光軸ＡＸに関しては対称であって、その構成は図１に示すものと同じである。図３ではモーターユニット１２０周辺の構造を光軸ＡＸに沿って被写体側から見た外観を示しており、図４（Ａ），（Ｂ）では被写体側の２方向（光軸ＡＸが互いに直交する方向）から見た外観を示している。なお、図３及び図４において固定鏡筒１０４，移動鏡筒１０６等は不図示である。
【００２４】
移動鏡筒１０２は、図４に示すように、主ガイド軸係合部１０２ａ及び副ガイド軸係合部１０２ｂを有しており、各々主ガイド軸１４１及び副ガイド軸１４２と係合することで直進移動を可能としている。主ガイド軸係合部１０２ａは、光軸ＡＸ方向に係合長を有しており、主ガイド軸１４１との径方向のガタを小さく設定することで移動鏡筒１０２の傾きを抑制している。つまり、主ガイド軸１４１と主ガイド軸係合部１０２ａで移動鏡筒１０２の適正な姿勢を保持している。一方、副ガイド軸１４２と副ガイド軸係合部１０２ｂは、主ガイド軸１４１を軸中心とする移動鏡筒１０２の回転を抑制している。つまり、副ガイド軸１４２と副ガイド軸係合部１０２ｂで移動鏡筒１０２の回転止めとしている。また、主ガイド軸１４１と副ガイド軸１４２の両端のうち、被写体側の端部は固定鏡筒１０４に支持されており、結像側の端部は移動鏡筒１０３に支持されている。
【００２５】
移動鏡筒１０２は、図２，図４等に示すように、別体で構成されるスクリュー係合部１０２ｃを有しており、スクリュー係合部１０２ｃがリードスクリュー部１２０ｂと係合することで、モーターユニット１２０による移動鏡筒１０２の駆動を可能としている。また、モーターヘッド部１２０ａは絞りユニット１３０の撮像素子ＳＲ側に配置されており（図２等）、リードスクリュー部１２０ｂはその両端が絞りユニット１３０に対して被写体側と撮像素子ＳＲ側の各々に跨って配置されている。つまり、リードスクリュー部１２０ｂは、絞りユニット１３０の被写体側から結像側に跨がって配置されており、モーターヘッド部１２０ａは、絞りユニット１３０の結像側に配置されている。なお、絞りユニット１３０は、図３，図４に示すように、移動鏡筒１０３に対してネジ止めされている。
【００２６】
次に、モーターユニット１２０周辺構造におけるフォーカス関連部分の構成を説明する。図５及び図６に、モーターユニット１２０周辺構造におけるフォーカス関連部分の外観構造を示す。図５（Ａ），（Ｂ）はフォーカス関連部分を光軸ＡＸに沿って結像側から見た外観を示しており、図５（Ｂ）では絞りユニット１３０のみを示している。図６は斜視図として３方向（光軸ＡＸ方向を９０°ずつ変えた状態）から見た外観を示している。
【００２７】
モーターヘッド部１２０ａの光軸ＡＸ側の一部は、図５（Ａ）に示すように、絞りユニット１３０の外径部１３０ｃ（図５（Ａ），（Ｂ）中の点線円）より光軸ＡＸ側に位置している。このため、光軸ＡＸを中心とする半径方向において、モーターヘッド部１２０ａの配置を省スペースで達成することが可能である。
【００２８】
絞りユニット１３０は、図５（Ｂ）に示すように、外径部１３０ｃの一部に内径側へ切り欠かれた形状の第１の切欠き部１３０ａを有している。この第１の切欠き部１３０ａには、図５（Ａ）に示すように、光軸ＡＸに対して垂直な面において、リードスクリュー部１２０ｂの一部と、主ガイド軸係合部１０２ａの一部と、主ガイド軸１４１の一部と、が配置されている。このため、移動鏡筒１０２の直進駆動を省スペースで達成することが可能である。さらに、光軸ＡＸに対して垂直な面において、モーターヘッド部１２０ａの光軸ＡＸ側の一部が第１の切欠き部１３０ａより光軸ＡＸ側に位置している。このため、光軸ＡＸを中心とする半径方向において、モーターヘッド部１２０ａの配置を更に省スペースで達成することが可能である。
【００２９】
また、絞りユニット１３０は、図５（Ｂ）に示すように、外径部１３０ｃの一部に内径側へ切り欠かれた形状の第２の切欠き部１３０ｂを、第１の切欠き部１３０ａとは別に有している。この第２の切欠き部１３０ｂには、図５（Ａ）に示すように、光軸ＡＸに対して垂直な面において、副ガイド軸１４２の一部が配置されている。このため、副ガイド軸１４２の径方向の配置を省スペースで達成して、移動鏡筒１０２の径方向の小型化が可能となる。
【００３０】
図７に、フォーカス移動範囲の両端のフォーカス状態にあるモーターユニット１２０周辺の外観構造を、モーターユニット１２０側から見た状態で示す。図７（Ａ）では、移動鏡筒１０２が最も被写体側に移動した状態（無限遠フォーカス状態）を示している。図７（Ｂ）では、移動鏡筒１０２が最も結像側に移動した状態（最近接フォーカス状態）を示しており、主ガイド軸係合部１０２ａの結像側端面１０２ｘが移動鏡筒１０３の規制面に接触している状態を示している。
【００３１】
主ガイド軸１４１と主ガイド軸係合部１０２ａとの係合長さが長いほど、径方向のガタが小さくなるため、ズームレンズＺＬの性能劣化を抑えることができる。主ガイド軸係合部１０２ａの結像側端面１０２ｘは、図７に示すように、移動鏡筒１０２の移動範囲内において、常に第１の切欠き部１３０ａが設けられている外径部１３０ｃの結像側端面１３０ｘ（破線位置）よりも結像側に位置している。これにより、主ガイド軸１４１に対する主ガイド軸係合部１０２ａの係合長さを長く確保することができる。したがって、主ガイド軸係合部１０２ａと主ガイド軸１４１とによる径方向のガタに起因する移動鏡筒１０２の傾きを抑制することができるため、ズームレンズＺＬの高性能化が可能となる。
【００３２】
上述した実施の形態のように、複数のレンズ群からなる撮像レンズを有し、レンズ群を保持する鏡筒を複数有するレンズ鏡筒にあっては、例えば、絞りユニットの被写体側にフォーカス群が位置するような場合、そのフォーカス群を光軸方向に移動させるためのモーターユニットの周辺の構成が、レンズ鏡筒を小型化するうえで重要になる。これはフォーカス群とモーターユニットとの配置関係に限るものではないので、ここで、移動鏡筒１０３を第１鏡筒とし、移動鏡筒１０２を第２鏡筒とし、第２鏡筒が絞りユニットの被写体側に配置され、かつ、第１鏡筒に対する相対的な位置が変化するように光軸方向に移動可能な構成を考える。この構成では、モーターヘッド部とリードスクリュー部を有するモーターユニットの配置を工夫することによって、レンズ鏡筒の小型化が可能である。
【００３３】
上記レンズ鏡筒を小型化するためのモーターユニットの配置の一例としては、レンズ鏡筒１００のように、リードスクリュー部が絞りユニットの被写体側から結像側に跨がって配置されており、モーターヘッド部が絞りユニットの結像側に配置されており、モーターヘッド部の光軸側の一部が絞りユニットの外径部より光軸側に位置する構成が挙げられる。光軸方向の配置に関しては、モーターヘッド部を絞りユニットに対して結像側に配置することで、第２鏡筒より被写体側に配置されるレンズの径が大きい場合（例えば、広角レンズ系の場合）においても、モーターユニットを効率的に配置することが可能となる。また、径方向（光軸に対して垂直方向）の配置に関しては、リードスクリュー部を絞りユニットの被写体側から結像側に跨がって配置すると共に、モーターヘッド部を光軸側により接近させて配置することで、モーターユニットを効率的に配置することが可能となる。
【００３４】
したがって、上記構成によれば、絞りユニットに対するモーターユニットの配置が適正に設定されているため、モーター駆動によるレンズ移動の高速化と径方向の小型化とを達成することが可能である。例えば、絞りユニットの被写体側にフォーカス群が位置する撮像レンズの場合、被写体側のレンズ径が大型化傾向となる広角レンズ系であっても、モーターユニットを搭載しつつレンズ鏡筒の小型化が可能となる。
【００３５】
前記実施の形態のように、前記第１鏡筒に保持され、かつ、前記第２鏡筒の移動をガイドする主ガイド軸及び副ガイド軸を、レンズ鏡筒が更に有し、前記第２鏡筒が、前記主ガイド軸に係合する主ガイド軸係合部と、前記副ガイド軸に係合する副ガイド軸係合部と、を有することが好ましい。この構成によると、主ガイド軸と主ガイド軸係合部で移動鏡筒の適正な姿勢を保持しながら、副ガイド軸と副ガイド軸係合部で移動鏡筒の回転を抑制することができるので、第２鏡筒の円滑な直進移動により光学性能の向上が可能となる。
【００３６】
前記実施の形態のように、前記絞りユニットが外径部の一部に内径側へ切り欠かれた形状の切欠き部を有し、光軸に対して垂直な面において、前記リードスクリュー部の少なくとも一部が前記切欠き部に配置されていることが好ましい。この構成によると、内径側へ切り欠かれた形状の切欠き部にリードスクリュー部の少なくとも一部が配置されることで、モーターユニットがより光軸側に配置されるため、モーターユニットの効率的な配置が可能となる。
【００３７】
前記実施の形態のように、光軸に対して垂直な面において、前記主ガイド軸及び前記主ガイド軸係合部のそれぞれの少なくとも一部が前記切欠き部に配置されていることが好ましい。この構成によると、主ガイド軸及び主ガイド軸係合部も切欠き部に配置されることで、第２鏡筒の半径方向の小型化が可能となる。
【００３８】
前記実施の形態のように、光軸に対して垂直な面において、前記モーターヘッド部の光軸側の一部が前記切欠き部より光軸側に位置することが好ましい。この構成によると、モーターヘッド部を光軸側により接近させて配置することで、モーターユニットを効率的に配置することが可能となる。
【００３９】
前記実施の形態のように、前記主ガイド軸係合部の結像側端面が、前記第２鏡筒の移動範囲内において、常に前記切欠き部が設けられている外径部の結像側端面よりも結像側に位置することが好ましい。この構成によると、主ガイド軸に対する主ガイド軸係合部の係合長さを長く確保することができる。したがって、主ガイド軸係合部と主ガイド軸とによる径方向のガタに起因する第２鏡筒の傾きを抑制することができるため、撮像レンズの高性能化が可能となる。
【００４０】
前記実施の形態のように、前記絞りユニットが外径部の一部に内径側へ切り欠かれた形状の第２の切欠き部を前記切欠き部とは別に有し、光軸に対して垂直な面において、前記副ガイド軸の少なくとも一部が前記第２の切欠き部に配置されていることが好ましい。この構成によると、副ガイド軸の径方向の配置を省スペースで達成して、第２鏡筒の径方向の小型化が可能となる。
【符号の説明】
【００４１】
１〜５    レンズ群
１００    レンズ鏡筒
１０１    移動鏡筒
１０１ａ    カムフォロワー
１０２    移動鏡筒（第２鏡筒）
１０２ａ    主ガイド軸係合部
１０２ｂ    副ガイド軸係合部
１０２ｃ    スクリュー係合部
１０２ｘ    結像側端面
１０３    移動鏡筒（第１鏡筒）
１０３ａ    カムフォロワー
１０４    固定鏡筒
１０６    移動鏡筒
１０７ａ    前側外装鏡筒
１０７ｂ    後側外装鏡筒
１０８    フォーカス操作環
１０９    ズーム操作環
１１１    レンズマウント
１２０    モーターユニット
１２０ａ    モーターヘッド部
１２０ｂ    リードスクリュー部
１３０    絞りユニット
１３０ａ    第１の切欠き部（切欠き部）
１３０ｂ    第２の切欠き部
１３０ｃ    外径部
１３０ｘ    結像側端面
１３１    カム環
１３１ａ，１３１ｂ    カム溝
１３２    直進筒
１３２ａ，１３２ｂ    直進溝
１４１    主ガイド軸
１４２    副ガイド軸
ＺＬ    ズームレンズ（撮像レンズ）
ＳＲ    撮像素子
ＢＤ    カメラボディ
ＡＸ    光軸
【図１】
2018180322.tif 000003
【図２】
2018180322.tif 000004
【図３】
2018180322.tif 000005
【図４】
2018180322.tif 000006
【図５】
2018180322.tif 000007
【図６】
2018180322.tif 000008
【図７】
2018180322.tif 000009